(57)【要約】【課題】封筒に封入物を封入、封緘し、集積した際にフラップ部からはみ出した接着剤によって封筒同士が接着することを防止するための封筒裏付き防止装置を提供する。【解決手段】封筒に封入物が封入され、接着剤が塗布されたフラップが折り畳まれて封緘された封筒が集積されたときにフラップからはみ出した接着剤によって封筒同士が接着し合わないように裏付き防止剤を塗布する装置であって、封入物が封入され封緘された封筒を搬送する封筒搬送部と、前記封筒搬送部内で封緘されたフラップ面に裏付き防止剤を塗布する裏付き防止剤塗布部と、塗布された裏付き防止剤を検査する裏付き防止剤検査部と、封筒排出部の少なくとも何れかを有する封筒裏付き防止装置を提供する。【選択図】  図１
2013107658.tif 000002
【特許請求の範囲】
【請求項１】
封筒に封入物が封入され、接着剤が塗布されたフラップが折り畳まれて封緘された封筒が集積されたときにフラップからはみ出した接着剤によって封筒同士が接着し合わないように裏付き防止剤を塗布する装置であって、
封入物が封入され封緘された封筒を搬送する封筒搬送部と、前記封筒搬送部内で封緘されたフラップ面に裏付き防止剤を塗布する裏付き防止剤塗布部と、塗布された裏付き防止剤を検査する裏付き防止剤検査部と、を少なくとも有することを特徴とする封筒裏付き防止装置。
【請求項２】
請求項１に記載の封筒裏付き防止装置において、
封筒搬送部は、封入封緘装置の封筒排出部に連動されて使用されることを特徴とする封筒裏付き防止装置。
【発明の詳細な説明】
【技術分野】
【０００１】
本発明は、封筒に封入物を封入封緘し、集積した際にフラップ部からはみ出した接着剤によって封筒同士が接着することを防止する封筒裏付き防止装置に関する。
【背景技術】
【０００２】
封筒に封入物を封入する装置として、封入封緘装置が使用されている。
この装置は、複数種の封入物の棚を横又は縦に順次並べておき、棚から封入物を取り出して移動するコンベア上に順次積み重ね（以下、丁合ともいう）、最後にまとめて封筒に封入し、フラップの裏側に予め、又は装置内で塗布した接着剤によって封緘する装置である。
【０００３】
このような封入封緘装置の一例として、可変情報が印刷された個々に切断する前の一連の単票から成る連続帳票を連続帳票移送部へ供給する連続帳票供給部と、前記連続帳票に印刷された制御コードを読み取る連続帳票コードリーダと、前記移送される連続帳票に対して冊子を綴じるための線糊を前記連続帳票の制御コードに基づいて所定部分に施す線糊部と、前記移送される連続帳票を隣接する前記単票の境界において切断し個々に切断した第１単票を得て第１単票移送部へ供給する切断部と、前記第１単票移送部において移送される前記第１単票に対して前記連続帳票の制御コードに基づいて１つの冊子に丁合すべき第１単票を特定し、その特定された第１単票が１つの冊子となるように丁合し冊子を得て冊子移送部へ供給する冊子丁合部と、可変情報とともに制御コードが印刷された第２単票から前記制御コードを読み取る第２単票コードリーダと、前記第２単票の制御コードに基づいて１つの帳票に丁合すべき第２単票を特定し、その特定された第２単票が１つの帳票となるように丁合位置へ供給し丁合する第２単票供給部と、前記丁合した帳票を前記丁合位置から帳票移送部へ供給する帳票供給部と、前記冊子移送部において移送される冊子に印刷された制御コードを読み取る冊子コードリーダと、前記冊子の制御コードと前記第２単票の制御コードに基づいて前記移送される帳票と前記移送される冊子との対応関係が適正となるように前記帳票と前記冊子を丁合し帳票冊子丁合物を得て帳票冊子移送部へ供給する帳票冊子丁合部と、前記制御コードに基づいて丁合すべき同封物を複数種類の同封物の中から選択し、その選択された同封物を前記移送される帳票と冊子の丁合物に供給して丁合し帳票と冊子と同封物の丁合物である全丁合物を得る同封物丁合部と、  封筒を封筒移送部へ供給する封筒供給部と、前記移送される全丁合物を前記封筒移送部において移送される封筒に封入し封緘する封入封緘部と、を具備するようにした製本封入インライン機が提供されている。また、前述の製本封入インライン機の冊子移送部は、前記冊子丁合部から所定数の冊子が供給される間は移送を停止し、所定数の冊子が供給された後に所定距離の移送を行う間欠移送を行ようにしている。
また、前述の製本封入インライン機の帳票冊子丁合部は前記冊子搬送部から丁合位置へと前記冊子の供給を行う冊子供給手段を有し、その冊子供給手段は移動機構と搬送ローラとゲートとから成り、前記移動機構は前記冊子搬送部に載置する前記冊子を真空吸着して一対のローラから成る搬送ローラの入口に設けられた前記ゲートに前記冊子を移動しそのゲートを通して真空吸着を解き、搬送ローラは前記ゲートを通った前記冊子を一対のローラによりニップして供給するようにしている（例えば、特許文献１参照）。
【先行技術文献】
【特許文献】
【０００４】
【特許文献１】特開２０１０−２２１５１２号公報
【発明の概要】
【発明が解決しようとする課題】
【０００５】
多用されている封入封緘装置も、特許文献１に記載されている「製本封入インライン機」も、封入物が封緘された封筒は、封入封緘装置の排出部で排出された後順次重ねられるか、または、封緘部を上に縦に並べられて一時保管される。
何れも封筒同士、縦又は横に重ねられて一時保管されるために、ずれた状態で塗布された接着剤によって、また、事前に塗布され一旦乾燥され水などで再活性されて接着される際の水のはみ出しによって、封筒同士が裏付き（ブロッキングともいわれている）するという問題があった。完全に裏付きしていなくても、封筒の表側に印刷された配達情報などを不鮮明にしてしまい、封筒を配達する際に住所が読めなくなってしまうというトラブルがあった。
そこで本発明は、封筒に封入物を封入、封緘し、集積した際にフラップ部からはみ出した接着剤によって封筒同士が接着することを防止するための封筒裏付き防止装置を提供することを目的とするものである。
【課題を解決するための手段】
【０００６】
前記目的を達成するために、本発明の封筒裏付き防止装置の第一の態様は、封筒に封入物が封入され、接着剤が塗布されたフラップが折り畳まれて封緘された封筒が集積されたときにフラップからはみ出した接着剤によって封筒同士が接着し合わないように裏付き防止剤を塗布する装置であって、封入物が封入され封緘された封筒を搬送する封筒搬送部と、前記封筒搬送部内で封緘されたフラップ面に裏付き防止剤を塗布する裏付き防止剤塗布部と、塗布された裏付き防止剤を検査する裏付き防止剤検査部と、を少なくとも有することを特徴とするものである。
【０００７】
また、第二の態様は、第一の態様において、封筒搬送部は、封入封緘装置の封筒排出部に連動されて使用されることを特徴とするものである。
【発明の効果】
【０００８】
１）第一の態様のように、封筒に封入物が封入され、接着剤が塗布されたフラップが折り畳まれて封緘された封筒が集積されたときにフラップからはみ出した接着剤によって封筒同士が接着し合わないように裏付き防止剤を塗布する装置であって、封入物が封入され封緘された封筒を搬送する封筒搬送部と、前記封筒搬送部内で封緘されたフラップ面に裏付き防止剤を塗布する裏付き防止剤塗布部と、塗布された裏付き防止剤を検査する裏付き防止剤検査部と、を少なくとも有することによって、封入封緘装置の封筒排出部で封筒を取り出し、改めて本発明の封筒裏付き防止装置で裏付き防止処理を行なうことによって、裏付き防止処理後の封筒を積載して一時保管することができる。封入封緘装置の封筒排出部に空きスペースがない場合に好適である。
２）また、第二の態様のように、第一の態様において、封筒搬送部は、封入封緘装置の封筒排出部に連動されて使用されることによって、封入封緘装置の封筒排出部の周辺に空きスペースがある場合は、インラインで裏付き防止処理ができるために人手を介することなく封筒を集積できる。
３）上記１、２によって、封入封緘後の封筒検査を不要とし、また、配達情報が封筒の表面に印字された封筒に対しては、配達情報などが封筒の裏付きによって損傷することもなくなり安全に封筒を取り扱うことができる。
【図面の簡単な説明】
【０００９】
【図１】本実施形態の封筒裏付き防止装置について説明するための封筒裏付き防止装置の概略図である。
【図２】本実施形態の封筒裏付き防止装置の裏付き防止剤塗布部と検査部について説明するための断面を示す図である。
【図３】封筒のフラップ部の表面に封筒裏付き防止剤が塗布された状態について説明するための図である。
【図４】フラップ付き封筒について説明するための図である。
【図５】本実施形態の封筒裏付き防止装置を封入封緘装置に連動させて使用する際の概念図である。
【発明を実施するための形態】
【００１０】
以下、図面を参照して、本実施形態の封筒裏付き防止装置について説明する。
本発明の封筒裏付き防止装置は、封筒に封入物が封入され、接着剤が塗布されたフラップが折り畳まれて封緘され、集積されたときにフラップからはみ出した接着剤によって封筒同士が接着し合わないように裏付き防止剤を塗布する装置である。
【００１１】
まず、図４を参照してフラップ付き封筒について説明する。
フラップ付き封筒２は、封筒の長辺又は短辺の一方にフラップ２１が形成された封筒である。フラップ２１の、折り畳まれて内側になる面には水などで再活性して接着させる接着剤３が形成され、封筒に封入物が封入された後活性化されてフラップ部が内側に折り畳まれ、フラップが閉じられ封緘される。そのときに、フラップ付き封筒２の点線で示したフラップの境界の外に水などで再活性された接着剤が、多すぎた水を伴ってはみ出すことがある。
【００１２】
フラップ２１への接着剤の形成方法として上述のように事前に接着剤を形成し乾燥させ、封緘時に再活性させる上述の方法以外に、フラップ２１の、折り畳まれて内側になる面に封入封緘装置の封筒供給部で接着剤３を形成する方法がある。
この場合も、接着剤３の形成位置がフラップ２１の所定の位置からずれて形成された場合や、接着剤の量が多すぎた場合は、封緘後フラップの外に接着剤がはみ出して封筒同士接着し合う裏付きが発生する。
【００１３】
図５を参照して、封入封緘装置について説明する。
多くの封入封緘装置６は、図示しないが、複数の棚（ポケットともいう）を備え、棚に積載された封入物を一部ずつ移動するコンベア上に載置し、順次取り出して積載してゆき、最後の封入物が積載された段階でこれら封入物を束として摘み、矢印の方向に搬送されてきた封筒２の中に挿入する。これが封入作業である。
【００１４】
封筒は移動して、フラップに形成された接着剤が活性化され、あるいは、フラップに接着剤が塗布されて、内側に折り畳まれ、フラップが閉じられる。これが封緘作業である。
【００１５】
封筒裏付き防止装置１が封入封緘装置６に連動されている場合は、封入物を内包した封入物入り封筒２０は配送情報表示部２００が下向きになっている場合は表裏反転させられ、封筒裏付き防止装置１の封筒搬送部１４に挿入される。
封筒排出部で配送情報表示部２００が上向きになっている場合はそのまま封筒裏付き防止装置１の封筒搬送部１４に挿入される。
封筒裏付き防止装置１が封入封緘装置６に連動されていない場合は、封入物を内包した封入物入り封筒２０を配送情報表示部２００が上向き（フラップ側が下向き）になるようにして封筒裏付き防止装置１の封筒搬送部１４に挿入する。
【００１６】
図１を参照して、本実施形態の封筒裏付き防止装置について説明する。
本実施形態の封筒裏付き防止装置１は、封入物が封入され封緘された封入物入り封筒２０を搬送する封筒搬送部１４と、前記封筒搬送部１４内で封入物入り封筒２０のフラップ面に裏付き防止剤を塗布する裏付き防止剤塗布部１１と、塗布された裏付き防止剤を検査する裏付き防止剤検査部１２と、を少なくとも備え、図１の例では封筒を集積する封筒排出部１３が接続されている。
【００１７】
また、封入封緘装置の封筒排出部の周辺に本発明の封筒裏付き防止装置を設置するスペースの余裕がある場合は、前述のように、封筒搬送部１４は、図５で説明した封入封緘装置６の封筒排出部に連動させて使用することもできる。
【００１８】
図１において、封入物入り封筒２０は、封筒配達情報（図示せず）が表示された面を上にして、封筒裏付き防止装置１の封筒供給部１４に供給される。
封筒搬送部１４は、搬送ベルト１４０が封入物入り封筒を軽く抑える状態でエンドレスに回転している。封入物入り封筒２０は矢印の方向に搬送され、図３に示すようにフラップ２１の面に所定幅の帯状に裏付き防止剤４が塗布される。
裏付き防止剤４は、封入物入り封筒２０の封筒配達情報（図示せず）が表示された面に塗布しても有効であるが、窓明き封筒のように封筒配達情報を透明なフィルム越しに確認する場合に、読みとり難くなる可能性があり好ましくない。
【００１９】
図２を参照して封筒裏付き防止装置１の裏付き防止剤塗布部１１と、裏付き防止剤検査部１２について説明する。
裏付き防止剤塗布部１１は、裏付き防止剤４を塗布するための塗布ローラ１１１と図示しないが裏付き防止剤４を適量に調節するためのドクター刃（図示せず）で構成され、ドクター刃はフラップの表面に適量の裏付き防止剤を塗布する役割を果たす。
前述の塗布ローラ１１１は、図１で説明した封筒搬送部１４の封入物入り封筒２０が移動するテーブル面より若干突出して回転する。
【００２０】
封入物入り封筒２０が矢印の方向に移動して裏付き防止剤検査部１２を通過する際に、投光部１２１から投光された光を受光部１２２で受光し、図３に示すごとくフラップ面に裏付き防止剤４が塗布されたことを確認する。
【００２１】
裏付き防止剤４には、後述する材料を溶解させた水溶液で、封筒基紙に吸収され易くするための活性剤や、裏付き防止剤を分散させる分散剤を含有させた、無色の液体を使用する。また、裏付き防止剤４の塗布状態を検査し易くするために、例えば、裏付き防止剤に赤外線吸収剤を混入させる。裏付き防止剤４を使用して封入物入り封筒にコーティングしたときに、投光部１２１には、７７０〜８００ｎｍにピークを有する赤外フィルターを使用した光源を使用する。投光部１２１から赤外線を投光し、受光部１２２で所定の赤外線量を検知しない場合は良好と判断する。
【００２２】
裏付き防止剤検査部１２では、前述の赤外線センサーのほかに、水分検知センサーなどが使用される。
上述の結果、図３において、フラップ２１の周辺に接着剤３がにじみ出ていたとしても、塗布された裏付き防止剤４によって対向する封入物入り封筒２０の配達情報表示部（図示せず）の情報を裏付きによって破壊することはない。
【００２３】
図３、図４を参照して本実施形態の封筒に塗布される接着剤と、封筒裏付き防止装置に使用される裏付き防止剤の一例について説明する。
まず、封筒２に使用される紙の内、非塗工紙としては上質紙、中質紙、更紙、再生紙等、塗工紙としてはアート紙、コート紙等が有りその中から選択して使用する。
水再活性型の接着剤（再湿接着剤ともいう）として、通常は水溶性高分子化合物で、例えば、ポリビニルアルコール、ポリエチレンオキシドなどが好適に使用される。その他に、デキストリンベースの接着剤が好適に使用される。
【００２４】
公知の裏付き防止剤４として、約75〜約99重量％のステアリン酸金属塩と、約1〜約25重量％のステアリン酸とを含んだアンチブロッキング組成物が好適に使用される。
また、淡黄色透明のポリエーテル変性シリコーンオイルや、ジメチルシリコーンオイル等のブロッキング防止剤が使用できる。また、ナフタロシアニンを１μｍ以下の粒子に粉砕し、分散剤と共に水溶液に添加したものを使用する。
具体的には、水溶性ブロッキング塗料として、サンノプコ（株）製、１２４５−M−ＳＮ、ＰＥＭ−１７、ＭＳ−４０、ＬＢ−５５０等が好適である。
【産業上の利用可能性】
【００２５】
封筒に封入物を封入封緘し、集積した際にフラップ部からはみ出した接着剤によって封筒同士が接着することを防止する封筒裏付き防止装置に利用できる。
【符号の説明】
【００２６】
１      封筒裏付き防止装置
２      フラップ付き封筒
３      接着剤
４      裏付き防止剤
５      封入物
６      封入封緘装置
１１    裏付き防止剤塗布部
１２    裏付き防止剤検査部
１３    封筒排出部
１４    封筒搬送部
２０    封入物入り封筒
２１    フラップ
１１１  塗布ローラ
１２１  投光部
１２２  受光部
２００  配達情報表示部
【図１】
2013107658.tif 000003
【図２】
2013107658.tif 000004
【図３】
2013107658.tif 000005
【図４】
2013107658.tif 000006
【図５】
2013107658.tif 000007